(57)【要約】  本発明は、磁気テープ上のデータを消去するための磁気ヘッドを提供し、磁気ヘッドは、その上に取り付けられた細長い磁石を有する本体と、磁石と磁化可能につながった複数の磁化可能部と、を含み、複数の磁化可能部は、細長い磁石とアライメントされ、磁気ヘッドの実質的に平面の外面の少なくとも一部を形成する。本発明はさらに、前記磁気ヘッドを使用することによって、磁気テープ上のデータを消去する方法及びシステムを提供する。【選択図】図１
2019519060.tif 000002
【特許請求の範囲】
【請求項１】
磁気テープ上のデータを消去する磁気ヘッドであって、前記磁気ヘッドが、その上に取り付けられた細長い磁石を有する本体と、前記磁石と磁化可能につながった複数の離散磁化可能部と、を含み、前記複数の磁化可能部が、前記細長い磁石とアライメントされ、前記磁気ヘッドの実質的に平面の外面の少なくとも一部を形成する、磁気ヘッド。
【請求項２】
前記磁石が、前記実質的な平面の下方に位置する、請求項１に記載の磁気ヘッド。
【請求項３】
前記本体が非磁化可能材料を含む、請求項１又は２に記載の磁気ヘッド。
【請求項４】
一片の細長い磁石を含む、請求項１〜３のいずれか１項に記載の磁気ヘッド。
【請求項５】
前記複数の磁化可能部が、全て同様の形状及びサイズを有する、請求項１〜４のいずれか１項に記載の磁気ヘッド。
【請求項６】
前記複数の磁化可能部が互いにアライメントされる、請求項１〜５のいずれか１項に記載の磁気ヘッド。
【請求項７】
各磁化可能部が、隣接するそれぞれの磁化可能部から等距離にある、請求項１〜６のいずれか１項に記載の磁気ヘッド。
【請求項８】
前記複数の磁化可能部が、前記本体内に埋め込まれることによって、前記本体と共に、前記平面の少なくとも一部を形成する、請求項１〜７のいずれか１項に記載の磁気ヘッド。
【請求項９】
前記複数のアライメントされた磁化可能部に隣接して配置される長手方向セラミックエッジ部をさらに含む、請求項１〜８のいずれか１項に記載の磁気ヘッド。
【請求項１０】
セラミックエッジ部が、前記アライメントされた複数の磁化可能部の各長手方向エッジに沿って配置される、請求項１〜９のいずれか１項に記載の磁気ヘッド。
【請求項１１】
前記磁化可能部がスチール材料を含む、請求項１〜１０のいずれか１項に記載の磁気ヘッド。
【請求項１２】
磁気テープ上のデータを消去する方法であって、
ａ．請求項１〜１１のいずれか１項に記載の磁気ヘッドを設けるステップと、
ｂ．前記磁気ヘッドの前記実質的に平面の外面を通り過ぎてテープを通過させるステップと、を含む方法。
【請求項１３】
磁気テープ上のデータを消去するシステムであって、
ａ．請求項１〜１１のいずれか１項に記載の磁気ヘッドと、
ｂ．テープを解除可能に保持するテープ位置付け手段と、
ｃ．前記磁気ヘッドの前記実質的に平面の外面に隣接して、前記磁気ヘッドを通り過ぎて前記テープを駆動させる駆動手段と、を含むシステム。
【発明の詳細な説明】
【技術分野】
【０００１】
本発明は、データ消去のための磁気ヘッドに関する。
【背景技術】
【０００２】
オープンリール、リール・トゥ・リール又は９トラックテープは、何年も前に呼ばれていたとおり、半インチのテープ上に９つの物理的データ／記録トラックを包含していた。現在のテープ技術は、最も圧倒的に使用される半インチテープ上で、１０００を超えるデータトラックを提供するまで進歩している。さらに、テープは、いわゆる「サーボ」トラックを包含する。これは、各テープの全長に設置された磁気周波数ストリップであり、サーボトラックの目的は、ドライブヘッドを使用中にそれが書き込んでいるデータトラックと一直線に保つことである。
【０００３】
多くの場合、テープに記録されたデータは、本質的に機密であり、従って、このデータが不要となった場合には、通常の廃棄物として、テープを単に廃棄することはできない。さらに、データ保護要件等により、データのプライバシーを保護するのに十分であるような埋め立て地への処分に依存するのではなく、テープの処分に先立って、テープ上のデータを消去することがより安全である。
【０００４】
既に記録されたデータをテープから除去するためには、強磁場をテープに印加することが必要であり、これは、当業界で「消磁」として知られている。しかしながら、強磁場を使用したデータ除去のデメリットの１つは、それが、非トラック特定のものであり、サーボトラックが、記録されたデータと共に消去される点である。サーボトラックがテープの機能性に必須であるので、それは、テープを再使用不可能にする。これは、各記録動作が新しいテープの使用を必要とし、消去プロセスが生じた後にテープをリサイクルすることができない、費用のかかる状況を提示する。
【０００５】
しかしながら、特に組織が、例えば、データ記録が規制された必須の機能である金融部門において、データ記録のためにテープを多く必要とする場合、新しいテープを購入する絶え間ない必要性は、非常に費用がかかる。テープを再使用することができるように、サーボトラックを損傷することなく、以前に記録されたデータを効果的に消去する効率的な消去プロセスに対する必要性がある。
【０００６】
本発明は、先行技術の問題点に対処しようとするものである。
【発明の概要】
【０００７】
従って、本発明の第１の態様は、磁気テープ上のデータを消去する磁気ヘッドを提供し、磁気ヘッドは、上に取り付けられた細長い磁石を有する本体と、磁石と磁化可能につながった複数の磁化可能部と、を含み、複数の磁化可能部は、細長い磁石とアライメントされ、磁気ヘッドの実質的に平面の外面の少なくとも一部を形成する。
【０００８】
本発明は、消去プロセス中に、上に磁気テープを通過させる磁気ヘッドの外面の少なくとも一部を形成する複数の磁化可能部を利用する。複数の磁化可能部を磁化するための細長い磁石の使用により、ヘッドの外面全体にわたって一貫した磁気強度が得られることが確実となる。個々の磁石は、それら自体の固有の磁気強度を有する。従って、磁気テープを上に通過させる磁化外面を生じさせるために複数の磁石を使用することは、ヘッド全体にわたって一貫性のない磁気強度を持つ外面をもたらす。しかしながら、複数の磁化可能部を磁気的にチャージする利点は、磁気ヘッド全体にわたって一貫した磁気チャージが得られる点である。
【０００９】
サーボトラックは、磁化可能部間のギャップを通って磁気ヘッドを横切るように誘導される。つまり、消去プロセス全体を通して、トラックが磁化可能部に対して同じ位置を保持するように、テープ全体がドライブによって誘導される
【００１０】
一実施形態では、磁石は、実質的な平面の下方に位置する。これにより、磁石自体からの磁気ヘッドの外面全体にわたる一貫した磁気チャージのあらゆる干渉が回避される。
【００１１】
好ましくは、本体は、真鍮を包含する（ただし、これに限定されない）、当業者に公知の任意の適切な非磁化可能材料を含む。しかしながら、本体は、ステンレススチールを包含する（ただし、これに限定されない）、当業者に公知のその他の適切な材料を含んでいてもよい。
【００１２】
磁石は、好ましくは、軟鉄磁化可能部と接触するネオジム磁石である。磁化可能部は、所定の大きさに作られ、磁化可能部の好適な材料の一例は、底面から先端まで磁石の強度の９９％を伝達する低カービンスチール（ENlA）である。ただし、同様の効果を得るために、その他の任意の適切な磁気／スチール材料が使用されてもよいことが認識されるべきである。例えば、より強い磁石及びより高いグレードのスチールの使用が、同じ効果強度をもたらすであろう。
【００１３】
一実施形態では、磁石は、一片の細長い磁石を含む。しかしながら、単一磁石及び関連の複数の磁化可能部が、磁気ヘッド全体にわたって反復され、磁石及び磁化可能部の各配置は、磁化可能部の表面全体にわたり一貫した磁気強度を有していてもよいことが認識されるべきである。
【００１４】
好ましくは、複数の磁化可能部のそれぞれは、全て同様の形状及びサイズを有する。一実施形態では、複数の磁化可能部のそれぞれは互いにアライメントされる。各磁化可能部は、隣接するそれぞれの磁化可能部から等距離にあってもよい。これは、磁気ヘッド全体にわたる磁場の一貫性及びそれに続くデータトラックの消去の精度を向上させ、サーボトラックを損傷することなく、テープからデータを消去することを可能にする。
【００１５】
好ましくは、複数の磁化可能部が、本体内に埋め込まれることによって、本体と共に、平面の少なくとも一部を形成する。これにより、磁化可能部の表面が、本体の表面と同一平面に位置付けられることが可能となり、その結果、使用時にテープを上に通過させる、平滑で一貫性のある表面が提供される。これは、効率的なテープからのデータ消去を容易にするだけでなく、テープが磁気ヘッド上を通過する際のテープの引っ掛かり（及びテープに対する潜在的損傷）も防止する。さらに、これは、磁化可能部が磁気ヘッドの表面上に積層された場合に受けるであろう、磁化可能部に対する望ましくない摩損も防止する。
【００１６】
磁気ヘッドは、複数のアライメントされた磁化可能部に隣接して配置される長手方向セラミックエッジ部をさらに含んでもよい。さらなる実施形態では、セラミックエッジ部は、アライメントされた複数の磁化可能部の各長手方向エッジに沿って配置される。１つ又は複数のセラミックエッジ部は、使用時に上にテープが通過する磁気ヘッドの外面を保護し、それによって、使用時の磁気ヘッドのエッジの摩滅を防止し、すなわち、それによって、本体及び／又は磁化可能部の材料の摩滅を防止する。このような摩滅、及びそれに続く磁気ヘッドのプロファイルの変化は、磁気ヘッド全体にわたる磁場の一貫性、並びにそれに対応したテープからの日付の消去の効率及び精度に潜在的に影響を与える。
【００１７】
本発明の第２の態様は、磁気テープ上のデータを消去する方法であって、
ａ．本発明の第１の態様による磁気ヘッドを設けるステップと、
ｂ．磁気ヘッドの実質的に平面の外面を通り過ぎてテープを通過させるステップと、を含む方法を提供する。
【００１８】
本発明の第３の態様は、磁気テープ上のデータを消去するシステムであって、
ａ．本発明の第１の態様による磁気ヘッドと、
ｂ．テープを解除可能に保持するテープ位置付け手段と、
ｃ．磁気ヘッドの実質的に平面の外面に隣接して、磁気ヘッドを通り過ぎてテープを駆動させる駆動手段と、を含むシステムを提供する。
【００１９】
単なる例として、及び添付の図面を参照して、本発明の実施形態をこれより説明する。
【図面の簡単な説明】
【００２０】
【図１】本発明の第１の態様による磁気ヘッドの一実施形態の斜視図である。
【図２】図１の磁気ヘッドの上部からの図である。
【図３ａ】図１の磁気ヘッドの側面図である。
【図３ｂ】図１の磁気ヘッドの正面図である。
【図４Ａ】主要な先行技術の磁気消去ヘッドを使用して得られた結果と比較した、図１の実施形態を使用することによって得られたデータバンド解析を示す。
【図４Ｂ】主要な先行技術の磁気消去ヘッドを使用して得られた結果と比較した、図１の実施形態を使用することによって得られたデータバンド解析を示す。
【発明を実施するための形態】
【００２１】
共通する特徴が共通する図面参照番号を使用して示される図面を参照して、本発明の一実施形態をこれより説明する。
【００２２】
図１〜図３ｂは、磁気テープ１２上のデータを消去するための磁気ヘッド１０を示し、磁気ヘッド１０は、本体１４と、本体に取り付けられ、及び複数の磁化可能部１８の下方に位置する磁石１６と、を含む。図面から分かるように、磁石１６は、細長い形状であり、複数の磁化可能部１８は、互いにアライメントされ、且つ細長い磁石１６の上方に位置する。磁化可能部１８は、下方に位置する磁石１６の長さを延長して、消去プロセス中にテープ１２が上を通過する平面１７を形成する真鍮ベッド２０内に埋め込まれる。
【００２３】
磁気ヘッド１０が適所に取り付けられることを可能にするように、取り付け穴５０が設けられる。
【００２４】
隣接する磁化可能部１８間の間隔は、消去プロセスが、重要なサーボトラックを消去することなく、テープ１２からデータを消去するのに十分なほど正確となることを可能にするので、重要である。
【００２５】
セラミックエッジング２２が、真鍮ベッド２０の両側に設けられ、真鍮ベッド２０の長さに沿って延在する。
【００２６】
図示した実施形態では、磁石は、ネオジムを含む。しかし、軟鉄（但し、これに限定されない）などの代替の磁性材料を代わりに使用してもよいことが認識されるべきである。
【００２７】
図示した実施形態では、本体１４及びベッド２０は、非磁化可能材料である真鍮を含み、従って使用中に、磁気ヘッド１０全体にわたり、磁場と干渉しない。
【００２８】
図３Ａは、磁気ヘッド１０上を通過する磁気テープ１２を示し、図示されるテープの進行方向は、矢印Ａで示される。テープ１２は、テープドライブ２４によって磁気ヘッド１０上で駆動される。
【００２９】
セラミックエッジング２２は、消去面１７のエッジを保護するため、すなわち、消去プロセス中に消去面１７のエッジを通過するテープ１４による経時的な摩滅から真鍮ベッド２０を保護するために、真鍮ベッド２０の各長手方向エッジに沿って設けられる。セラミックエッジングを省くと、真鍮ベッド２０のエッジ上に摩耗したプロファイルが生じる。この変化したプロファイルは、消去面１７全体にわたる磁場の一貫性及び強度と、テープ１４からのデータ消去の精度及び信頼性の結果として生じる損失とに影響を与え得る。
【００３０】
使用時に、テープ１４は、テープドライブ２４と係合する。テープドライブ２４は、消去面１７のアライメントされた磁化可能部１８上でテープ１４を駆動させるように動作する。アライメントされた磁化可能部１８を磁気的にチャージする単一磁石１６が存在するので、消去面１７全体にわたり一貫した磁場強度が存在する。磁化可能部１８上でのテープ１４の正確な通過により、テープ１４からの日付の正確且つ完全な消去が達成されることが確実となる。
【００３１】
消去プロセス中では、幅が半インチの標準テープ上のデータの消去には、幅が約２．５ｃｍの１つの単一ヘッドで十分である。しかしながら、認識されるべきであり、並びに代替のヘッド幅及びテープ幅の組み合わせが企図されてもよい。
【００３２】
図４Ａ及び図４Ｂは、主要な先行技術の消去ヘッドを使用した場合と比較した、本発明の消去ヘッドを使用したテープ消去事象の結果を示す。明白に分かるように、本発明の消去ヘッドを使用した場合、データトラック１００は、サーボトラック１１０への損傷なしに、より効率的に消去される。それに対して、先行技術の消去ヘッドを使用して消去されたテープは、サーボトラック１１０のそれぞれの側に、かなりのレベルのデータ１００を依然として含有している。従って、本発明の構成は、先行技術に対して大幅な改善をもたらす。
【００３３】
添付の図面に示す実施形態に関連して、本発明の態様を説明したが、本発明は、ここに示したとおりの実施形態に限定されず、さらなる発明的技能及び努力なしに、様々な変更及び修正を生じさせることができることが理解されるべきである。
【図１】
2019519060.tif 000003
【図２】
2019519060.tif 000004
【図３Ａ】
2019519060.tif 000005
【図３Ｂ】
2019519060.tif 000006
【図４Ａ】
2019519060.tif 000007
【図４Ｂ】
2019519060.tif 000008
【国際調査報告】
2019519060.tif 000009
2019519060.tif 000010